(57)【要約】【課題】水銀灯の橋の上などのメンテにおいて、高所作業車を使わずしかも雨水が浸入しにくい構造にし、道路の邪魔をしない所でメンテ出来る水銀灯を提供する。【解決手段】本考案は筒状体１の長手方向が９０度ネジレたスリットをガイドとして、水銀灯をナツト６が付いた雄ねじ棒７を回転させ、水銀灯を上下に昇降させさらに等圧理論を利用した構造にし、防水効果を考慮した金属プレイト３を９０度ネジつたスリット部を全面に渡つて、水銀灯の動きに同調してカバーしさらにモヘア４にて防水効果を上げた水銀灯で、メンテする時電動装置により水銀灯がスリットに沿つて昇降し道路面から９０度回転した安全な場所にてメンテ出来る、水銀灯昇降装置の考案である。【選択図】図２
2020198283.tif 000002
【特許請求の範囲】
【請求項１】
長手方向に連続するスリットを有する筒状体と、
前記筒状体内を移動可能な移動体と、
前記筒状体内で前記筒状体内を昇降させる駆動手段とを備えた昇降装置であって、
前記移動体は前記スリットをとおつて前記筒状体の外部に突出するロツトの付いた突出部を有し、前記筒状体が立設された状態で前記突出部に付いたロツトが昇降することを特徴とする昇降装置。
【請求項２】
前記のスリットが請求項１の昇降装置で、ロツトに付いた水銀灯が回転して昇降する装置。
【請求項３】
前記筒状体の内部空間と外部空間の圧力差を少なくした時、雨水の浸入を妨げる等圧理論を発揮するような構造にした請求項１の昇降装置。
【請求項４】
前記のスリット部に昇降装置の運動に同調する金属プレイトを当て、防止効果をさらに高めた請求項３の昇降装置。
【請求項５】
前記の金属プレイトにモヘアを当てた請求項４の昇降装置。
【発明の詳細な説明】
【技術分野】
【０００１】  本考案はアルミサツシ業界で承知の等圧理論を利用し、ポールの側面に長手方向に一定幅のスリットを設け、ネジレたスリット部をガイドとして、上下方向に回転して駆動する水銀灯を付けたパイプ状の支柱に関するものである。
【背景技術】  街路灯として道路の路肩に等間隔で設定され長時間の使用により、ランプ切れが発生しランプ交換のメンテが必要である。
ランプは高い所に設定されているためにメンテナンス作業は困難である。そのため各種の発明が提案されている。【０００２】  特許文献１叉は２は支柱の外部に昇降させるワイヤーにて水銀灯を釣り下げて昇降装置させている。
〔特許文献１〕
〔特許文献２〕【０００３】  特許文献３は支柱の外部にガイドを設け、そこを伝わって回転して昇降させている。
〔特許文献３〕【０００４】  特許文献４，５，６は支柱の一部を回転軸線を中心として倒して昇降させている。
〔特許文献４〕
〔特許文献５〕
〔特許文献６〕【０００５】  特許文献７は釣り竿みたいに径の違つたパイプを順次伸ばして水銀灯を昇降させている。
〔特許文献７〕【０００６】  特許文献８は支柱の内部にシリンダー叉はワイヤーにて水銀灯を昇降させている。
〔特許文献８〕
等あつたが本発明に近い発明はなかつた。
【先行技術文献】
【特許文献】
【０００７】〔特許文献１〕  実公昭６３―３５４４２
〔特許文献２〕  特公２５１２６４４
〔特許文献３〕  実公平３−９７８２１
〔特許文献４〕  実公平３−９３６９６
〔特許文献５〕  特公平１−５００４４
〔特許文献６〕  特公２９１４６３０
〔特許文献７〕  特公２８８３０６０
〔特許文献８〕  特公２００６―２６１０１６
【非特許文献１】
【０００８】  昭和５３年度日本建築業界研究報告書（ｖｏｌ４９）
石川  廣三著  外壁および接合の雨水浸入防止設計に関する基礎的研究、壁体中空層の圧力平衡による雨水浸入防止について。
〔非特許文献２〕
昭和５３年日本建築業界学術講演集
等圧ヵアテンウオールの開発研究、各種のジョイントに関する水密性実験。
【発明の概要】
【発明が解決しようとする課題】
【０００９】  次のような課題があつた。
〔０００２〕の課題
特許文献１、２は水銀灯が重く支柱の途中、叉は根元にて回転させる為に周りに相当な安全の為の面積を要する。叉支柱を折り曲げて昇降させる為に電線、ケーブルが破損しない様考慮する心要がある。
〔０００３〕の課題
特許文献３はシーリングが難しく、装置が大きくなり叉複雑になり、防水性が難しくコストＵＰになる。
〔０００４〕の課題
特許文献４，５，６はシーリングが難しく、装置が大きくなりコストＵＰになる。
【課題を解決するための手段】
【００１０】  水銀灯のメンテを人がやれる高さにする為、水銀灯をガイドに沿つて９０°回転させ道路上でない所でメンテ出来るようにし、雨水がスリットより装置の中に入りにくくする様アルミサツシ業界で使われている等圧理論を利用した構造にし、万がいち雨水が筒状体の中に入らぬ様図２の様に筒状体に明けたスリット部を上下する水銀灯に付けた金属製帯状プレイトで水銀灯が上下しても、スリット部をカバーしさらにモヘアにて帯状プレイトを外部より当て、防水効果を上げ美観上支柱の外部に装置を出さず筒状体の内部に入れる構造にする。
【発明の効果】
【００１１】  ネジレたガイドに沿つて昇降体が昇降するためメンテが地面に近い所で出来、安全上保守点検がしやすくなつた。【００１２】  等圧理論に元ずき、さらに金属プレイトでガイド面を覆い、さらにモヘアにて防水効果を上げる為に支柱の中に雨水が浸入しにくくなつた。【００１３】  水銀灯の様に一度に多数本メンテする場合、地面に近い所で点検車に付けた駆動装置叉は筒状体に付けた電動昇降装置によりメンテ出来、コスト削減になり美観上すつきりした昇降装置になつた。
以上の効果により特に安全を必要とする場所、例えば橋の上の水銀灯には最適で産業発展に奇与する所極めて大である。
【図面の簡単な説明】
【００１４】
【図１】  筒状体１に長手方向にスリット２を明けて９０度ネジツた筒状体の側面図である。
【図２】  アルミ押し出し形材製筒状体のＡ‐Ａ線横断面図である。
【図３】  筒状体１の昇降装置の詳細構造を示す縦断面図である。
【図４】  金属遮蔽板３にテンションを与えるスプリングを取り付け、水銀灯１０の動きに同調してスリット部２を遮蔽して上下に動けるようにした、装置の詳細構造を示す側面図である。
【発明を実施するための形態】
【００１５】  図１は本発明の筒状体１に長手方向に明けられた、９０°回転したスリット２を示す図である。
【００１６】  図２に示すように筒状体１の断面は円形の外殻部１２、円形の内殻部１３、及び外殻部１２と内殻部１３とを連結する３つの連結部１４とから構成されている。
【００１７】  筒状体１はアルミ押し出し形材で一体成形しても良く、押し出し直後の時効硬化前に９０°ネジレばスリット２が変形されなく９０°ネジレるからである。
あるいわ、スチール補強材を内部に入れ割形のアルミ押し出し形材で外殻部１２を構成するようにして強度を高めてもよい。
【００１８】  外殻部１２にはスリットが開けられている、内殻部１４にもスリット２が明けられている。外殻部１２のスリット２の位置と内殻部１３のスリット２の位置は、円の中心に対し同じ角度方向となつている。
【００１９】  図２に示す水銀灯が先端に付いたロツト状ナツト６は雄ねじ棒５の回転によつて上下に移動し、ロツト状ナツト６は図４の金属プレイト遮蔽板３に明けてある穴１１を通つており、ロツト状ナツト６の動きに引っ張られて上下に動き、スリット２を遮蔽し金属プレイト３にはモヘア４が当たつており、防水効果を確実にしている。
【００２０】  図３では雄ねじ棒５とロツト状ナツト６の嵌合により、水銀灯を動かしているが例えばチェーン、シリンダー、ワイヤー等他の方法によつて動かしてもよい。
【符号の説明】
【００２１】１    筒状体１
２    スリット
３    金属プレイト遮蔽金属板
４    モヘア
５    雄ねじ棒
６    ロツト状ナツト
７    スプリング
８    ワイヤー
９    ガイドローラー
１０  水銀灯
１１  ロツト状ナツトにて金属プレイトを動かす穴
１２  外殻部
１３  内殻部
１４  連結部
【図１】
2020198283.tif 000003
【図２】
2020198283.tif 000004
【図３】
2020198283.tif 000005
【図４】
2020198283.tif 000006